(57)【特許請求の範囲】
【請求項１】
調速機を備える内燃機関の駆動によって発電電力を制御する発電機と、
前記内燃機関が駆動している状態で前記発電機の発電電力を電力負荷に供給する場合に、消費電力を変更可能に構成され、前記発電機の発電電力を前記電力負荷とともに消費する模擬負荷と、
前記模擬負荷の消費電力を制御可能な制御部と、
を備え、
前記制御部は、前記模擬負荷の消費電力を前記電力負荷の消費電力が略極大に達するまで減少させた後、前記模擬負荷の消費電力を停止または一定値に所定時間維持するものであって、
前記模擬負荷の消費電力を停止または前記一定値に前記所定時間維持している間、前記調速機の制御によって前記発電機の発電電力を制御する
発電システム。
【請求項２】
前記電力負荷は、外部の商用電力系統から電力を給電可能に構成され、
前記制御部は、
前記模擬負荷の消費電力を停止または前記一定値に所定時間維持した後、前記模擬負荷の消費電力を増加させる
請求項１に記載の発電システム。
【請求項３】
前記模擬負荷の消費電力を停止または前記一定値に維持する前記所定時間の終了は、前記発電機の出力があらかじめ設定された規定値に到達した時点である
請求項２に記載の発電システム。
【請求項４】
前記模擬負荷の減少から前記模擬負荷の消費電力を停止または前記一定値への維持への移行、および前記模擬負荷の消費電力停止または前記一定値への維持から前記模擬負荷の増加への移行は連続して行われる
請求項２または３に記載の発電システム。
【請求項５】
前記模擬負荷の消費電力を停止または前記一定値への維持から前記模擬負荷の増加へ移行する時点の電力値は、前記模擬負荷の消費電力と前記電力負荷の消費電力との合計が、前記発電機が運転を継続可能な発電電力以上の規定値に設定される
請求項４に記載の発電システム。
【請求項６】
調速機を備える内燃機関の駆動によって制御される発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部を備える制御装置であって、
前記制御部は、
前記模擬負荷の消費電力を前記電力負荷の消費電力が略極大に達するまで減少させた後、前記模擬負荷の消費電力を停止または一定値に所定時間維持するものであって、
前記模擬負荷の消費電力を停止または前記一定値に前記所定時間維持している間、前記調速機の制御によって前記発電機の発電電力を制御する
制御装置。
【請求項７】
調速機を備える内燃機関の駆動によって制御される発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部が実行する制御方法であって、
前記制御部が、
前記模擬負荷の消費電力を前記電力負荷の消費電力が略極大に達するまで減少させた後、前記模擬負荷の消費電力を停止または一定値に所定時間維持するものであって、
前記模擬負荷の消費電力を停止または前記一定値に前記所定時間維持している間、前記調速機の制御によって前記発電機の発電電力を制御する
制御方法。
【請求項８】
調速機を備える内燃機関の駆動によって制御される発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部に、
前記模擬負荷の消費電力を前記電力負荷の消費電力が略極大に達するまで減少させた後、前記模擬負荷の消費電力を停止または一定値に所定時間維持し、前記模擬負荷の消費電力を停止または前記一定値に前記所定時間維持している間、前記調速機の制御によって前記発電機の発電電力を制御させる
ことを実行させるプログラム。
【発明の詳細な説明】
【技術分野】
【０００１】
本発明は、発電システム、制御装置、制御方法、およびプログラムに関する。
【背景技術】
【０００２】
電気機器などの電力負荷が設けられた施設には、商用電力系統に連系して発電を行い、発電電力を電力負荷に供給する発電システムが備えられる場合がある。特許文献１には、このような発電システムとして、商用電力系統または常用電源からの受電が停止する停電時において、商用電力系統または常用電源から発電機を切り離した状態で、発電機を駆動する内燃機関を起動させて発電機の自立運転を行い、発電機の発電電圧が確立し安定して発電が行えるようになった段階で、停電時の給電対象とする電力負荷の一部または全部の特定負荷を発電機に投入する技術が開示されている。特許文献２，３には、電力負荷とは別に発電機の発電電力を消費する模擬負荷を設けて、電力負荷の消費電力に基づいて当該模擬負荷の消費電力を増減させる技術が開示されている。
【０００３】
このような発電システムにおいては、商用電力系統または常用電源からの受電の停止後において、例えば４０秒以内程度の短時間で、発電機の発電電圧の確立や電力負荷の投入を可能にすることが求められる（非特許文献１参照）。
【先行技術文献】
【特許文献】
【０００４】
【特許文献１】特開２００７−６５９５号公報
【特許文献２】特開２０１５−１０９７４５号公報
【特許文献３】特開２０１５−１０９７４６号公報
【非特許文献】
【０００５】
【非特許文献１】一般財団法人日本内燃力発電設備協会「防災用自家発電装置技術基準」（平成３０年５月１日発行）第８頁
【発明の概要】
【発明が解決しようとする課題】
【０００６】
しかしながら、電力負荷の消費電力に基づいて模擬負荷の消費電力を増加させたり減少させたりすると、電力負荷の消費電力の変化に対する模擬負荷の消費電力の増加や減少の応答に時間を要する。この場合、応答に時間を要することによる制御の遅れに起因して、発電機の発電電力の余剰または不足の変動などの現象が生じ、発電電力が安定しない可能性がある。この問題は特に、発電機の駆動源である内燃機関の出力を定格出力にするように発電機を運転する場合に顕著に現れる。そのため、商用電力系統や常用電源からの受電の停止後に求められる、発電機の発電電圧の確立や電力負荷の投入を、短時間でより安定して実行できる技術が求められている。
【０００７】
本発明は、上記に鑑みてなされたものであって、その目的は、商用電力系統などからの受電の停止後に求められる、発電機の発電電圧の確立や、短時間での電力負荷の投入を、より安定して行うことができる発電システム、制御装置、制御方法、およびプログラムを提供することにある。
【課題を解決するための手段】
【０００８】
上述した課題を解決し、目的を達成するために、本発明の一態様に係る発電システムは、調速機を備える内燃機関の駆動によって発電する発電機と、前記内燃機関が駆動している状態で前記発電機の発電電力を電力負荷に供給する場合に、消費電力を変更可能に構成され、前記発電機の発電電力を前記電力負荷とともに消費する模擬負荷と、前記模擬負荷の消費電力を制御可能な制御部と、を備え、前記制御部は、前記模擬負荷の消費電力を増加または減少させる電力増減制御を実行し、前記電力増減制御を開始した後における所定の時間帯において所定時間、前記電力増減制御を停止または前記模擬負荷の消費電力を一定に維持し、前記電力増減制御を停止または前記模擬負荷の消費電力を一定に維持する間に、前記調速機の制御によって前記発電機の発電電力を制御する。
【０００９】
本発明の一態様に係る発電システムは、上記の発明において、前記電力負荷は、外部の商用電力系統から電力を給電可能に構成され、前記制御部は、前記商用電力系統から前記電力負荷への給電が停止した場合に、前記電力負荷が前記発電機から解列した状態で前記発電機を起動させた後の第１時間帯において、前記模擬負荷の消費電力を減少させ、前記第１時間帯後の第２時間帯において、前記模擬負荷の消費電力の減少を所定時間停止させる、または前記模擬負荷の消費電力を所定時間一定に維持しつつ、前記調速機によって前記発電機の出力を制御し、前記第２時間帯後の第３時間帯において、前記模擬負荷の消費電力を増加させる。
【００１０】
本発明の一態様に係る発電システムは、上記の発明において、前記第１時間帯の終了時点は、前記電力負荷の消費電力が略極大となる時点であり、前記第２時間帯の終了時点は、前記発電機の出力があらかじめ設定された規定値に到達した時点である。
【００１１】
本発明の一態様に係る発電システムは、上記の発明において、前記第１時間帯と前記第２時間帯とが連続し、前記第２時間帯と前記第３時間帯とが連続している。
【００１２】
本発明の一態様に係る発電システムは、上記の発明において、前記第２時間帯と第３時間帯との境界は、前記模擬負荷の消費電力と前記電力負荷の消費電力との合計が、前記発電機が運転を継続可能な発電電力以上の規定値に設定される。
【００１３】
本発明の一態様に係る制御装置は、調速機を備える内燃機関の駆動によって発電する発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部を備える制御装置であって、前記制御部は、前記模擬負荷の消費電力を増加または減少させる電力増減制御を実行し、前記電力増減制御の開始した後における所定の時間帯において所定時間、前記電力増減制御を停止または前記模擬負荷の消費電力を一定に維持し、前記電力増減制御を停止または前記模擬負荷の消費電力を一定に維持する間に、前記調速機の制御によって前記発電機の発電電力を制御する。
【００１４】
本発明の一態様に係る制御方法は、上記の発明において、調速機を備える内燃機関の駆動によって発電する発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部が実行する制御方法であって、前記制御部が、前記模擬負荷の消費電力を増加または減少させる電力増減制御を実行し、前記電力増減制御の開始した後における所定の時間帯において所定時間、前記電力増減制御を停止または前記模擬負荷の消費電力を一定に維持し、前記電力増減制御を停止または前記模擬負荷の消費電力を一定に維持する間に、前記調速機の制御によって前記発電機の発電電力を制御する。
【００１５】
本発明の一態様に係るプログラムは、調速機を備える内燃機関の駆動によって発電する発電機の発電電力を電力負荷に供給する場合に、消費電力を変更可能に構成されて前記発電機の発電電力を前記電力負荷とともに消費する、前記電力負荷と異なる模擬負荷の消費電力を制御可能な制御部に、前記模擬負荷の消費電力を増加または減少させる電力増減制御を実行させ、前記電力増減制御の開始した後における所定の時間帯において所定時間、前記電力増減制御を停止または前記模擬負荷の消費電力を一定に維持させ、前記電力増減制御を停止または前記模擬負荷の消費電力を一定に維持する間に、前記調速機の制御によって前記発電機の発電電力を制御させることを実行させる。
【発明の効果】
【００１６】
本発明に係る発電システム、制御装置、制御方法、およびプログラムによれば、商用電力系統などからの受電の停止後などに求められる、発電機の発電電圧の確立や、短時間での電力負荷の投入を、より安定して行うことが可能となる。
【図面の簡単な説明】
【００１７】
【図１】図１は、本発明の一実施形態による発電システムを示すブロック図である。
【図２】図２は、本発明の一実施形態による発電システムの制御装置を示すブロック図である。
【図３】図３は、本発明の一実施形態による発電システムの制御装置による制御方法を説明するためのフローチャートである。
【図４】図４は、本発明の一実施形態による発電システムの制御装置による制御の一例を示すグラフである。
【発明を実施するための形態】
【００１８】
以下、本発明の一実施形態について図面を参照しつつ説明する。なお、以下の一実施形態の全図においては、同一または対応する部分には同一の符号を付す。また、本発明は以下に説明する一実施形態によって限定されるものではない。
【００１９】
まず、本発明の一実施形態による発電システムについて説明する。以下に説明する一実施形態は、エンジン発電機、模擬負荷、および制御部を備える発電システムに関するが、その他の発電システムであってもよい。エンジン発電機２０は、調速機（図示せず）が設けられた内燃機関の駆動によって発電する。エンジン発電機は、発電電力を電力負荷に供給する発電時において、所定のエンジン制御部によって、出力が定格出力になるように制御される。本発明の一実施形態による発電システムは、制御装置が、エンジン発電機の発電電力の変化を低減するように、模擬負荷の消費電力を増加させたり減少させたりするシステムである。図１は、本実施形態による発電システムの構成を示すブロック図である。
【００２０】
図１に示すように、一実施形態による発電システム１は、制御装置１０、エンジン発電機２０、模擬負荷消費電力調整器３１によって調整される模擬負荷３０、商用電力系統４０、および電力負荷５０を備える。発電システム１において、エンジン発電機２０の出力側には、出力する電力を計測可能な発電電力計測部６１が設けられている。電力負荷５０の入力側には、供給される電力を計測可能な電力負荷消費電力計測部６２が設けられている。模擬負荷消費電力調整器３１の入力側には、供給される電力を計測可能な模擬負荷消費電力計測部６３が設けられている。なお、模擬負荷消費電力計測部６３は、模擬負荷３０の入力側に設けてもよい。
【００２１】
発電機としてのエンジン発電機２０は、内燃機関２１および発電機２２を有する。エンジン発電機２０は、燃料を用いた内燃機関としてのエンジンによって回転運動を発生させて、発電機の回転子を回転させることによって発電可能に構成される。なお、内燃機関２１は、発電機２２によって発電可能な機関であれば、エンジンなどの内燃機関に限定されない。
【００２２】
模擬負荷３０は、所定の電力を消費する例えば負荷抵抗器などから構成される。模擬負荷３０は、エンジン発電機２０の発電電力の少なくとも一部を消費することによって、エンジン発電機２０の発電電力の変動を抑制して、安定化させるための負荷であり、電力負荷５０とは独立して設けられる。なお、模擬負荷３０は、エンジン発電機２０の発電電力を消費する負荷である点に関しては、電力負荷５０と共通する。模擬負荷３０は、模擬負荷消費電力調整器３１によって、負荷の大きさを調整可能に構成される。模擬負荷消費電力調整器３１は、制御装置１０から入力される調整信号に基づいて、模擬負荷が消費する電力を調整する装置である。調整信号は、模擬負荷３０の消費電力の増減を制御するための情報を含む。
【００２３】
商用電力系統４０は、例えば電力会社などからの電力系統である。なお、本明細書においては、常用電源なども含めて、商用電力系統４０と称する。電力負荷５０は、設備を稼働させるために必要な電力が供給される負荷であり、具体的に例えばポンプやモータなどの負荷である。なお、電力負荷５０は、例えばポンプやモータに限定されず、従来公知の種々の負荷が用いられる。
【００２４】
発電電力計測部６１は、エンジン発電機２０に接続された電力供給線に接続され、エンジン発電機２０が出力した発電電力の計測値を制御装置１０に出力する電力計である。電力負荷消費電力計測部６２は、電力負荷５０に接続された電力供給線に接続され、電力負荷５０が消費した消費電力の計測値を制御装置１０に出力する電力計である。模擬負荷消費電力計測部６３は、模擬負荷３０または模擬負荷消費電力調整器３１に接続された電力供給線に接続され、模擬負荷３０が消費した消費電力の計測値を制御装置１０に出力する電力計である。なお、発電電力計測部６１、電力負荷消費電力計測部６２、および模擬負荷消費電力計測部６３は、電力の増減を評価可能な計測器であれば、電力計に限定されず、例えば電流計などの種々の計測器を採用することが可能である。
【００２５】
制御装置１０は、エンジン発電機２０の発電電力、電力負荷５０の消費電力、および模擬負荷３０の消費電力の計測値を取得して、模擬負荷消費電力調整器３１によって模擬負荷３０の消費電力の増減を制御する装置である。図２は、本実施形態による発電システム１の制御装置１０を示すブロック図である。
【００２６】
図２に示すように、制御装置１０は、判定制御部１１、加算部１２、差分演算部１３、制御感度演算部１４、制御出力演算部１５、および記憶部１６を備える。制御装置１０には、それぞれの発電電力計測部６１、電力負荷消費電力計測部６２、および模擬負荷消費電力計測部６３から計測値が入力される。制御装置１０は、模擬負荷消費電力調整器３１に、制御信号を出力する。
【００２７】
判定制御部１１、加算部１２、差分演算部１３、制御感度演算部１４、および制御出力演算部１５は、具体的に、ハードウェアを有する、ＣＰＵ（Central  Processing  Unit）、ＤＳＰ（Digital  Signal  Processor）、ＦＰＧＡ（Field-Programmable  Gate  Array）などのプロセッサ、およびＲＡＭ（Random  Access  Memory）やＲＯＭ（Read  Only  Memory）などの主記憶部（いずれも図示せず）を備える。
【００２８】
記憶部１６は、ＲＡＭなどの揮発性メモリ、ＲＯＭなどの不揮発性メモリ、ＥＰＲＯＭ（Erasable  Programmable  ROM）、ハードディスクドライブ（ＨＤＤ、Hard  Disk  Drive）、およびリムーバブルメディアなどから選ばれた記憶媒体から構成される。なお、リムーバブルメディアは、例えば、ＵＳＢ（Universal  Serial  Bus）メモリ、または、ＣＤ（Compact  Disc）、ＤＶＤ（Digital  Versatile  Disc）、もしくはＢＤ（Blu-ray（登録商標）  Disc）のようなディスク記録媒体である。また、外部から装着可能なメモリカードなどのコンピュータ読み取り可能な記録媒体を用いて記憶部１６を構成してもよい。記憶部１６には、制御装置１０の動作を実行するための、オペレーティングシステム（Operating  System：ＯＳ）、各種プログラム、各種テーブル、各種データベースなどが記憶可能である。ここで、各種プログラムには、本実施形態による模擬負荷３０の消費電力の増減制御を実現する電力増減制御プログラムも含まれる。これらの各種プログラムは、ハードディスク、フラッシュメモリ、ＣＤ−ＲＯＭ、ＤＶＤ−ＲＯＭ、フレキシブルディスクなどのコンピュータ読み取り可能な記録媒体に記録して広く流通させることも可能である。
【００２９】
制御装置１０においては、記憶部１６に記憶されたプログラムを主記憶部の作業領域にロードして実行し、プログラムの実行を通じて各構成部などを制御することによって、所定の目的に合致した機能を実現できる。本実施形態においては、制御装置１０によるプログラムの実行によって、判定制御部１１、加算部１２、差分演算部１３、制御感度演算部１４、および制御出力演算部１５の処理が実行される。
【００３０】
判定制御部１１は、発電電力計測部６１から取得する発電電力の計測値と、電力負荷消費電力計測部６２および模擬負荷消費電力計測部６３の少なくとも一方から取得する消費電力の計測値とに基づいて、制御モードを判定して選択する。判定制御部１１は、選択した制御モードに基づいて、模擬負荷消費電力調整器３１に制御信号を出力して制御する。
【００３１】
本実施形態による発電システム１における判定制御部１１は、例えば以下の３つの電力制御モード部を有する。本実施形態による発電システム１が備える制御装置１０の判定制御部１１が、以下の電力制御モードによる制御の中核的な役割を果たす。具体的にまず、判定制御部１１は例えば、第１の電力制御モード部１１１、第２の電力制御モード部１１２、および第３の電力制御モード部１１３から、１つの制御モード部を選択する。続いて判定制御部１１は、選択した電力制御モード部が実行する電力制御モードに基づいて模擬負荷消費電力調整器３１を制御することによって、模擬負荷３０の消費電力を制御する。なお、第１の電力制御モード部１１１、第２の電力制御モード部１１２、および第３の電力制御モード部１１３のそれぞれが実行する、それぞれの電力制御モードの詳細については後述する。
【００３２】
加算部１２は、電力負荷消費電力計測部６２の計測値と、模擬負荷消費電力計測部６３の計測値とを取得して加算し、差分演算部１３に出力する。すなわち、加算部１２は、模擬負荷３０の消費電力と電力負荷５０の消費電力との合計の消費電力を、差分演算部１３に出力する。
【００３３】
差分演算部１３は、模擬負荷３０と電力負荷５０との合計の消費電力と、エンジン発電機２０の発電電力との差分を演算して、制御出力演算部１５に出力する。換言すると、差分演算部１３は、発電電力に対する消費電力の差分を演算する演算部である。差分演算部１３が発電電力と消費電力との差分を算出することによって、エンジン発電機２０による発電電力を略一定にするために必要な模擬負荷３０に対する消費電力の制御値を算出できる。
【００３４】
制御感度演算部１４は、差分演算部１３によって求められた、発電電力を略一定にするために必要な模擬負荷３０の消費電力の制御値を、模擬負荷消費電力調整器３１に出力する感度を演算する。すなわち、制御感度演算部１４は、模擬負荷３０の消費電力の制御値をどの程度の感度で出力するかを演算する。制御感度演算部１４は、演算によって得られた感度の情報を制御出力演算部１５に出力する。
【００３５】
制御出力演算部１５は、差分演算部１３によって得られた、発電電力を略一定にするために必要な模擬負荷３０の消費電力の制御値と、制御感度演算部１４によって得られた感度の情報とを含む制御情報を生成する。制御出力演算部１５は、生成した制御情報を判定制御部１１に出力する。判定制御部１１においては、制御出力演算部１５において得られた模擬負荷消費電力調整器３１に出力する制御情報を適切な制御信号に変換して、模擬負荷消費電力調整器３１に出力する。
【００３６】
次に、以上のように構成された制御装置１０によって実行される制御方法としての模擬負荷３０の消費電力（以下、廃棄電力という）の増減制御について説明する。図３は、本実施形態による制御装置１０による制御方法を説明するためのフローチャートである。図４は、本実施形態による制御装置１０による制御の一例を示すグラフである。
【００３７】
図３および図４に示すように、まず、ステップＳＴ１において、電力負荷５０がエンジン発電機２０から解列した状態で、所定のエンジン制御部（図示せず）によってエンジン発電機２０を起動させて自立運転を開始させる。ここで、エンジン発電機２０の起動方法としては、電力負荷５０を有する施設や、商用電力系統４０などにおける停電を検知したときに、エンジン発電機２０が電力負荷５０から解列した状態で無負荷運転に至ることができる方法が該当し、種々の方法を採用できる。例えば、エンジン発電機２０が起動前の停止状態である場合において、電力負荷５０を有する施設や、商用電力系統４０などにおける停電を検知したときに、所定のエンジン制御部（図示せず）によって自動でエンジン発電機を起動させて、無負荷運転に至る方法である。他の方法としては、エンジン発電機２０が系統連系下において連続運転している場合において、電力負荷５０を有する施設や、商用電力系統４０などにおける停電を検知したときに、所定のエンジン制御部（図示せず）によって電力負荷５０を遮断して無負荷運転を維持する方法である。エンジン発電機２０の起動した時点（Ｔ＝０）から起動時間だけ経過すると（Ｔ＝Ｔ0）、エンジン発電機２０が整定して発電電力が安定する。すなわち、起動時点Ｔ0において、エンジン発電機２０の発電電力の全ての出力を模擬負荷３０に消費可能な条件が成立する。
【００３８】
次に、ステップＳＴ２に移行して制御装置１０は、所定の開始時点（Ｔ＝Ｔ1）においてエンジン発電機２０の発電電力を電力負荷５０に投入する。これにより、電力負荷５０が消費する消費電力（以下、負荷電力という）が増加する。制御装置１０の判定制御部１１は、エンジン発電機２０の電力を電力負荷５０に投入した時点を、第１時間帯の開始時点（Ｔ＝Ｔ1）とする。
【００３９】
ステップＳＴ３に移行して判定制御部１１は、電力負荷５０への電力の投入の開始に伴って第１の電力制御モード部１１１を選択して、電力制御モードを第１の電力制御モードとする。第１の電力制御モードは、開始時点Ｔ1から廃棄電力の減少を開始する電力制御モードである。すなわち、電力負荷５０において負荷電力は、投入の開始時点から過渡的に増加する。そのため、判定制御部１１の第１の電力制御モード部１１１は、模擬負荷消費電力調整器３１を制御して、模擬負荷３０の消費電力（廃棄電力）を、電力負荷５０の負荷電力の増加分だけ低下させるように変更する。これにより、電力負荷５０が消費する負荷電力に合わせて、廃棄電力が減少される。
【００４０】
次に、ステップＳＴ４に移行して判定制御部１１は、電力負荷５０が消費する負荷電力の変動を監視して、電力負荷５０の負荷電力が極大点（以下、ピーク電力という）に近い電力まで到達したか否か、すなわち消費電力が略極大となる略ピーク電力であるか否かを判定する。略ピーク電力とは、検出されたピーク電力に対して設定された所定範囲内の電力であり、ピーク電力を含む所定範囲内の電力を意味する。ステップＳＴ４は、判定制御部１１が、電力負荷５０の負荷電力は略ピーク電力に到達したと判定する（ステップＳＴ４：Ｙｅｓ）まで、繰り返し実行される。なお、略ピーク電力の代わりに、負荷電力のピーク電力を検出するようにしてもよい。
【００４１】
すなわち、ステップＳＴ３，ＳＴ４を実行する第１時間帯においては、電力負荷５０の投入に伴って、エンジン発電機２０の出力を一定に維持するために、投入負荷の電力変動の挙動に合わせて、模擬負荷３０の廃棄電力を速やかに減少させる。エンジン発電機２０は、模擬負荷３０の廃棄電力と、電力負荷５０の負荷電力との合計の電力になるように発電電力を出力するため、エンジン発電機２０の発電電力を略一定に維持することができる。
【００４２】
ステップＳＴ４において判定制御部１１が、電力負荷５０の負荷電力が略ピーク電力に到達したと判定した場合（ステップＳＴ４：Ｙｅｓ、Ｔ＝Ｔ2）、第１時間帯（Ｔ＝Ｔ1〜Ｔ2）が終了して、ステップＳＴ５に移行する。
【００４３】
ステップＳＴ５において判定制御部１１は、第２の電力制御モード部１１２を選択して、第２の電力制御モードに移行する。本実施形態において判定制御部１１は、第２の電力制御モードの開始時点（Ｔ＝Ｔ2）、すなわち電力負荷５０の負荷電力が略ピーク電力に到達したと判定された時点を、第２時間帯の開始時点（Ｔ＝Ｔ2）とする。第２の電力制御モードは、模擬負荷３０の廃棄電力の減少を所定時間停止させる電力制御モードである。または、第２の電力制御モードは、模擬負荷３０の負荷を所定時間一定に維持する電力制御モードである。すなわち、第２の電力制御モード部１１２は、模擬負荷消費電力調整器３１を制御して、模擬負荷３０の廃棄電力が減少しない状態または一定になるように維持する。一方、電力負荷５０において負荷電力は、ピーク電力に到達した後に漸近的に減少していく。この場合、廃棄電力が一定であることから、調速機によってエンジン発電機２０が制御され、電力負荷５０の負荷電力の低下に追従して、エンジン発電機２０の発電電力も低下する。
【００４４】
次に、図３に示すステップＳＴ６に移行して判定制御部１１は、発電電力計測部６１から入力される発電電力の計測値に基づいて、エンジン発電機２０の発電電力が、あらかじめ設定されている発電電力の規定値まで低下したか否かを判定する。ステップＳＴ６は、判定制御部１１が、エンジン発電機２０の発電電力は規定値まで低下したと判定する（ステップＳＴ６：Ｙｅｓ）まで、繰り返し実行される。
【００４５】
すなわち、ステップＳＴ５，ＳＴ６を実行する第２時間帯においては、投入した電力負荷５０がピーク電力に到達した後、模擬負荷３０の廃棄電力は設定が維持される。この際、電力負荷５０の負荷電力への追従は、エンジン発電機２０に対して回転数を一定に制御する制御（回転数一定制御）、いわゆるガバナ制御によって対応される。模擬負荷３０の廃棄電力を一定に維持する制御は、エンジン発電機２０が安定して稼働する発電電力以上で、エンジン発電機２０の定格出力未満の規定出力である規定値に到達するまで継続される。
【００４６】
ステップＳＴ６において判定制御部１１が、エンジン発電機２０の発電電力が、規定値まで低下したと判定した場合（ステップＳＴ６：Ｙｅｓ）、第２時間帯（Ｔ＝Ｔ2〜Ｔ3）が終了して、ステップＳＴ７に移行する。
【００４７】
ステップＳＴ７において判定制御部１１は、第３の電力制御モード部１１３を選択して、第３の電力制御モードに移行する。本実施形態において判定制御部１１は、第３の電力制御モードの開始時点（Ｔ＝Ｔ3）、すなわちエンジン発電機２０の発電電力が、あらかじめ設定された発電電力の規定値まで低下したと判定された時点を、第３時間帯の開始時点（Ｔ＝Ｔ3）とする。第３の電力制御モードは、模擬負荷３０の廃棄電力を増加させる電力制御モードである。すなわち、第３の電力制御モード部１１３は、模擬負荷消費電力調整器３１を制御して、模擬負荷３０の廃棄電力を増加させる。一方、電力負荷５０における負荷電力は、継続して漸近的に減少していく。そこで、第３の電力制御モード部１１３は、模擬負荷消費電力調整器３１を制御して、模擬負荷３０における廃棄電力を、負荷電力の増加率の絶対値、すなわち減少率よりも大きい増加率で増加させる。換言すると、模擬負荷３０の廃棄電力の増加率を、電力負荷５０の負荷電力の減少率より大きくする。この場合、負荷電力の減少率よりも大きい増加率で廃棄電力を増加させていることにより、負荷電力と廃棄電力との合計は増加し、調速機によってエンジン発電機２０の発電電力の出力が制御されて、負荷電力と廃棄電力との合計に倣って、エンジン発電機２０の発電電力は増加する。なお、模擬負荷３０の廃棄電力の増加率は、エンジン発電機２０が許容可能な電力負荷投入率以下とする。許容可能な電力負荷投入率は、エンジン発電機２０の特性によって異なる値となる。
【００４８】
次に、ステップＳＴ８に移行して判定制御部１１は、発電電力計測部６１から入力される発電電力の計測値に基づいて、エンジン発電機２０の発電電力が整定したか否かを判定する。ステップＳＴ８は、判定制御部１１が、エンジン発電機２０の発電電力は整定したと判定する（ステップＳＴ８：Ｙｅｓ）まで、繰り返し実行される。
【００４９】
すなわち、ステップＳＴ７，ＳＴ８を実行する第３時間帯においては、エンジン発電機２０の発電電力が増加するように、電力負荷５０の負荷電力の低下よりも模擬負荷３０の廃棄電力の増加が大きくなるようにする。換言すると、エンジン発電機２０の発電電力が規定値に到達した時点（Ｔ＝Ｔ3）から、模擬負荷３０の廃棄電力の設定を増加させることにより、エンジン発電機２０を改めて略定格出力に戻す制御を行う。この時、電力負荷５０の負荷電力は、エンジン発電機２０の発電電力が整定に向かうのにしたがって減少する。そのため、第３の電力制御モード部１１３が、模擬負荷３０における廃棄電力を、負荷電力の増加率の絶対値（減少率）よりも大きい増加率で増加させることによって、エンジン発電機２０を略定格出力に戻すことができる。
【００５０】
ステップＳＴ８において判定制御部１１は、エンジン発電機２０の発電電力が整定したと判定した場合（ステップＳＴ８：Ｙｅｓ）、判定した時点を第３時間帯の終了時点Ｔ4とし、第３時間帯（Ｔ＝Ｔ3〜Ｔ4）が終了する。以上により、本実施形態による電力制御処理が終了する。
【００５１】
その後、エンジン発電機２０に対して、他の電力負荷５０が投入された場合には、第３時間帯の終了時点、すなわち第３の電力モードの終了時点Ｔ4を、上述した第１時間帯より前の時点Ｔ0と同様に設定することができる。その後、上述した電力制御処理と同様にして、第１〜第３時間帯においてそれぞれ、第１〜第３の電力制御モードを繰り返し実行することができる。
【００５２】
以上説明した、本発明の一実施形態によれば、制御装置１０が、電力負荷５０の負荷電力の変化がより小さくなるように模擬負荷３０の廃棄電力を増減させる電力増減制御を実行する際に、実行の開始後の一定時間帯において一時的に、電力増減制御を停止または一定値に維持し、調速機によってエンジン発電機２０の出力を制御するガバナ制御を行っている。これにより、電力負荷５０の負荷電力の変化に対して、模擬負荷３０の廃棄電力の増加または減少の制御が遅れることに起因した、エンジン発電機２０の発電電力に関して余剰または不足の変動が生じるという現象の発生を抑制できる。そのため、エンジン発電機２０の発電電力の変動が抑制されて、エンジン発電機２０の駆動が安定化する。したがって、商用電力系統４０などからの受電が停止した後に、エンジン発電機２０の発電電圧を安定して確立でき、電力負荷５０の投入をより安定して行うことができる。
【００５３】
また、上述した一実施形態によれば、第１時間帯（Ｔ＝Ｔ1〜Ｔ2）における模擬負荷３０の廃棄電力の減少を、第２時間帯（Ｔ＝Ｔ2〜Ｔ3）において一時的に停止させたり、廃棄電力を一時的に一定に維持したりしていることにより、廃棄電力の過剰な減少を抑制できるので、エンジン発電機２０の発電電力の変動を抑制でき、エンジン発電機２０を安定して稼働させることができる。
【００５４】
また、上述した一実施形態によれば、電力負荷５０の負荷電力のピーク時、またはピーク時に近い時点である第２時間帯の開始時点Ｔ2から、模擬負荷３０の廃棄電力の減少を一時的に停止させたり、廃棄電力を一時的に一定に維持したりしていることにより、時点Ｔ2以後において、模擬負荷３０の廃棄電力の減少が進行せず、廃棄電力の過剰な減少を抑制できるので、エンジン発電機２０の発電電力の変動を抑制でき、エンジン発電機２０を安定して稼働させることができる。
【００５５】
さらに、上述した一実施形態によれば、第１時間帯と第２時間帯との境界は、電力負荷５０の負荷電力がピーク電力に到達する前後における制御装置１０による模擬負荷３０の廃棄電力の増減の切り替わりに伴うエンジン発電機２０の発電電力の不安定化を抑制するように設定されている。また、第２時間帯と第３時間帯との境界は、エンジン発電機２０が安定して運転を継続可能な発電電力、すなわち模擬負荷３０および電力負荷５０の消費電力の合計がエンジン発電機２０を安定して運転可能な負荷以上になるように設定されている。そのため、調速機によってエンジン発電機２０の発電電力を制御している第２時間帯において生じるエンジン発電機２０の発電電力の減少または変動をより低減でき、エンジン発電機２０の発電電力を、より安定化させることができる。
【００５６】
以上、本発明の一実施形態について具体的に説明したが、本発明は、上述の一実施形態に限定されるものではなく、本発明の技術的思想に基づく各種の変形が可能である。例えば、上述の一実施形態において挙げた数値はあくまでも例に過ぎず、必要に応じてこれと異なる数値を用いてもよく、本実施形態による本発明の開示の一部をなす記述および図面により本発明は限定されることはない。
【００５７】
（記録媒体）
上述の一実施形態において、制御装置１０が実行する処理方法を実行させるプログラムを、コンピュータその他の機械などの装置（以下、コンピュータなど、という）が読み取り可能な記録媒体に記録することができる。コンピュータなどに、この記録媒体のプログラムを読み込ませて実行させることにより、当該コンピュータなどが制御装置１０として機能する。ここで、コンピュータなどが読み取り可能な記録媒体とは、データやプログラムなどの情報を電気的、磁気的、光学的、機械的、または化学的作用によって蓄積し、コンピュータなどから読み取ることができる非一時的な記録媒体をいう。このような記録媒体のうちのコンピュータなどから取り外し可能なものとしては、例えばフレキシブルディスク、光磁気ディスク、ＣＤ−ＲＯＭ、ＣＤ−Ｒ／Ｗ、ＤＶＤ、ＢＤ、ＤＡＴ、磁気テープ、フラッシュメモリなどのメモリカードなどがある。また、コンピュータなどに固定された記録媒体としてハードディスク、ＲＯＭなどがある。さらに、ＳＳＤは、コンピュータなどから取り外し可能な記録媒体としても、コンピュータなどに固定された記録媒体としても利用可能である。
【００５８】
また、一実施形態による制御装置１０に実行させるプログラムは、インターネットなどのネットワークに接続されたコンピュータ上に格納し、ネットワーク経由でダウンロードさせることにより提供するように構成してもよい。
【００５９】
（その他の実施形態）
上述した一実施形態においては、上述した「部」を「回路」などに読み替えることができる。例えば、制御部は、制御回路に読み替えることができる。
【００６０】
なお、本明細書におけるフローチャートの説明では、「まず」、「次に」、「その後」、「続いて」などの表現を用いてステップ間の処理の前後関係を明示していたが、本実施の形態を実施するために必要な処理の順序は、それらの表現によって一意的に定められるわけではない。すなわち、本明細書で記載したフローチャートにおける処理の順序は、矛盾のない範囲で変更することができる。
【００６１】
さらなる効果や変形例は、当業者によって容易に導き出すことができる。本開示のより広範な態様は、以上のように表しかつ記述した特定の詳細および代表的な実施形態に限定されるものではない。したがって、添付のクレームおよびその均等物によって定義される総括的な発明の概念の精神または範囲から逸脱することなく、様々な変更が可能である。
【符号の説明】
【００６２】
１  発電システム
１０  制御装置
１１  判定制御部
１２  加算部
１３  差分演算部
１４  制御感度演算部
１５  制御出力演算部
１６  記憶部
２０  エンジン発電機
２１  内燃機関
２２  発電機
３０  模擬負荷
３１  模擬負荷消費電力調整器
４０  商用電力系統
５０  電力負荷
６１  発電電力計測部
６２  電力負荷消費電力計測部
６３  模擬負荷消費電力計測部
１１１  第１の電力制御モード部
１１２  第２の電力制御モード部
１１３  第３の電力制御モード部
【要約】
【課題】商用電力系統などからの受電の停止後に求められる、発電機の発電電圧の確立や、短時間での電力負荷の投入をより安定して行うこと。
【解決手段】発電システムは、調速機を備える内燃機関の駆動によって発電する発電機と、内燃機関が駆動している状態で発電機の発電電力を電力負荷に供給する場合に、消費電力を変更可能に構成され、発電機の発電電力を電力負荷とともに消費する模擬負荷と、模擬負荷の消費電力を制御可能な制御部と、を備え、制御部は、模擬負荷の消費電力を増加または減少させる電力増減制御を実行し、電力増減制御の開始した後における所定の時間帯において所定時間、電力増減制御を停止または模擬負荷の消費電力を一定に維持し、電力増減制御を停止または模擬負荷の消費電力を一定に維持する間に、調速機の制御によって発電機の発電電力を制御する。
【選択図】図２【図１】
0006852828.tif 000002
【図２】
0006852828.tif 000003
【図３】
0006852828.tif 000004
【図４】
0006852828.tif 000005